(57)【要約】【課題】スタビライザとクロスフローファンの間の距離を変化させることによって、室内ユニットの側壁の影響による風量低下、騒音上昇、断続的異常音を抑制することができるが、再循環渦の大きさを意識的に変化させ不安定な状態にするため空力特性が悪化する。【解決手段】本発明では、クロスフローファン５とスタビライザ７との隙間距離Ｓがクロスフローファン５の軸方向における中央より両端に向かって連続的にあるいは断続的に小さくなる際、中央部分からのＳの変化量と同じだけ厚さをスタビライザ７先端部から舌部にかけて増加させる。また、スタビライザの先端７ａにおいても同様に厚さが増加するためスタビライザ７の高さも変化させる。【選択図】  図３
2005037001.tif 000002
【特許請求の範囲】
【請求項１】
クロスフローファンと、スタビライザと、リアガイダと、熱交換器を備えた空気調和機の室内ユニットであって、前記スタビライザの先端部は前記クロスフローファンとの隙間距離がクロスフローファンの軸方向におけるクロスフローファンの中央部より両端に向かって連続的に小さくなっており、前記クロスフローファンの軸方向のいずれの位置においても前記スタビライザの先端部から舌部にかけて前記クロスフローファンとの距離を一定にしたことを特徴とする空気調和機の室内ユニット。
【請求項２】
前記スタビライザにおいて、クロスフローファンの仕切り板に対向する部分に端板幅と同程度の幅でクロスフローファンと平行な突起があり、その左右はなだらかに湾曲していることを特徴とする請求項１記載の空気調和機の室内ユニット。
【請求項３】
前記突起の左右のなだらかな傾斜部分がファンに対して凹形状であることを特徴とする請求項２の空気調和機の室内ユニット。
【請求項４】
前記突起の左右のなだらかな傾斜部分がファンに対して凸形状であることを特徴とする請求項２記載の空気調和機の室内ユニット。
【発明の詳細な説明】
【０００１】
【産業上の利用分野】
本発明は住宅などの空調に用いる空気調和機の室内ユニットに関する。
【０００２】
【従来の技術】
以下に従来の空気調和機の室内ユニットについて説明する。
【０００３】
図８に示すように、空気調和機の室内ユニットの内部に配設されたクロスフローファンで、端板５ａと複数のブレード５ｂとからなるファン体５ｃを複数連結した形状をなし、アルミ板、合成樹脂等で形成されている。８はクロスフローファン５の背部に取り付けられ、空気を一定方向に導くための鋼板、合成樹脂板等からなるスクロールケーシング、７はクロスフローファン５の前方、すなわち、一次側に所定距離隔てて対向して取りつけられた、ドレン受けを兼ねるスタビライザで、クロスフローファン５との隙間において所要の風量が得られる。前記スタビライザ７はクロスフローファン５との隙間距離Ｓが一定となるように配設されており、その隙間距離Ｓは風量と騒音に重要な影響を与えるので、これを考慮して決定されている。１０はクロスフローファンを１を回転させるためのファンモータである。
【０００４】
クロスフローファン５を回転させると、室内ユニット内に吸い込まれた室内空気は熱交換器６を通過した後、クロスフローファン５を貫流して室内に吹き出される。そして、クロスフローファン５に発生した再循環渦Ｆはスタビライザ７によって安定する。スクロールケーシング８によって前記クロスフローファン５から流出する空気の流れ方向が決定される。
【０００５】
特にクロスフローファン５とスタビライザ７との隙間距離Ｓがクロスフローファン５の軸方向における中央より両端に向かって連続的あるいは段階的に小さくなるようにスタビライザ７を形成し、クロスフローファン５の部位により再循環渦Ｆの大きさを変化させて圧力差を相違させることにより
耳障りな翼ピッチ音の発生を抑制している（例えば、特許文献１参照）。
【０００６】
【特許文献１】
実開昭５７−１３４３８８号公報
【０００７】
【発明が解決しようとする課題】
しかしながら、上記の技術では、翼ピッチ音を低減することを目的としているが、再循環渦Ｆの大きさを意識的に変化させて不安定な状態にしなければならないため、空力特性を悪化させることがあった。
【０００８】
そこで本願発明は、耳障りな翼ピッチ音の発生を抑制すると同時に、再循環渦の安定化を図り、その際生じる空力特性の悪化を低減することがことを目的とする。
【０００９】
【課題を解決するための手段】
上記課題を解決するために、請求項１記載の本発明の空気調和機の室内ユニットは、クロスフローファンと、スタビライザと、リアガイダと、熱交換器を備えた空気調和機の室内ユニットであって、前記スタビライザの先端部は前記クロスフローファンとの隙間距離がクロスフローファンの軸方向におけるクロスフローファンの中央部より両端に向かって連続的に小さくなっており、前記クロスフローファンの軸方向のいずれの位置においても前記スタビライザの先端部から舌部にかけて前記クロスフローファンとの距離を一定にしたことを特徴とする。
【００１０】
請求項２記載の本発明は、請求項１記載の本発明の空気調和機の室内ユニットにおいて、前記スタビライザにおいて、クロスフローファンの仕切り板に対向する部分に端板幅と同程度の幅でクロスフローファンと平行な突起があり、その左右はなだらかに湾曲していることを特徴とする。
【００１１】
請求項３記載の本発明は、請求項２記載の本発明の空気調和機の室内ユニットにおいて、前記突起の左右のなだらかな傾斜部分がファンに対して凹形状であることを特徴とする。
【００１２】
請求項４記載の本発明は、請求項２記載の本発明の空気調和機の室内ユニットにおいて、前記突起の左右のなだらかな傾斜部分がファンに対して凸形状であることを特徴とする。
【００１３】
【実施例】
以下各実施例について、図面を用いて説明する。従来技術で説明した構成部分と同じ部分については同一符号を付し、その説明を省略する。
【００１４】
（実施例１）
図１は本発明の実施例１の空気調和機の室内ユニットの外観斜視図である。
【００１５】
空気調和機の本体は、台枠２とこの台枠２の前方に取り付けられた前面カバー３とからなり、台枠２および前面カバーの上部には、吸い込みグリル４が設けられている。また、図２に示すように、ファン５の中心から見て全域を囲むように熱交換器が、その下部にはドレン受けを兼ねるスタビライザ７が、ファン５と距離を保ち、対向するように配設されている。このスタビライザ７は従来例同様にクロスフローファン５との隙間距離Ｓがクロスフローファン５の軸方向における中央より両端に向かって連続的あるいは段階的に小さくなるように形成されている。
【００１６】
図３は本発明第一の実施例のスタビライザ７の断面図であり、スタビライザ７とクロスフローファン５との距離Ｓの変化量と同じだけの厚さの増加をスタビライザ７の先端７ａから舌部７ｂにかけて一律に有しており、破線Ａを中央部での先端から舌部への曲線、実線Ｂを中央部での先端から舌部への曲線とすると、破線Ａと実線Ｂの距離は常に一定である。また、スタビライザの先端７ａにおいても厚さを増加させているため、スタビライザは高さも同様に変化している。
【００１７】
この形状よりクロスフローファン５の部位により再循環渦Ｆの大きさを変化させて圧力差を相違させることにより耳障りな翼ピッチ音の発生を抑制すると同時に、スタビライザ７の先端から舌部まで一律に厚みを増加させることによって、その際生じる空力特性の悪化を低減することができる。また、フィルターに埃が堆積し、通風抵抗が増加した場合に側壁付近で生じる断続的異常音（サージング）を抑制することができる。
【００１８】
（実施例２）
以下本発明の第２の実施例について説明する。
【００１９】
図４は実施例２のスタビライザ７の要部平面図である。スタビライザ７とクロスフローファン５との隙間距離は、クロスフローファン５の中央部の任意の区間においては一定に保ち、前記区間より両端に向かって連続的に小さくなっている。また、このスタビライザ７も図３同様にの先端部から舌部にかけても隙間距離の変化量と同じだけ厚さが増加しており、スタビライザ７の高さも同様に変化している。
【００２０】
本来、クロスフローファン５を有効に送風性能を発揮するためには、室内ユニットの断面形状における熱交換器、クロスフローファン５、スタビライザ７等の構成が一様、つまり２次元性を確保するほうがよい。一方、クロスフローファン５の端部においては本体の側壁の影響により、再循環渦がクロスフローファン５の円の中心側に移動することによる風量性能の劣化、また、フィルターにごみが堆積したときなどには、端部からサージングが発生することがある。それを解決するためにはクロスフローファン５とスタビライザ７の隙間距離Ｓを最適化させる必要がある。上記実施例２の形状により、クロスフローファン５の２次元性を最大限確保しつつ、本体の側壁の抵抗による悪影響を取り除くことができる。
【００２１】
（実施例３）
以下本発明の第３の実施例について説明する。
【００２２】
図５は、実施例３に示す室内ユニットにおけるスタビライザ７とファン５の位置関係の要部平面図である。スタビライザ７において、クロスフローファン５の端板５ａと対向する位置に、端板５ａの幅と同程度の幅で平行な突起１１を配し、その左右はなだらかに湾曲している。この湾曲はファン５に対して、凸若しくは凹な形状をなしている。これらの突起１１はスタビライザ７の先端部から舌部にかけて同程度の高さで一律に続いている。
【００２３】
この形状により、クロスフローファン５の端板５ａの後流の乱れによる騒音上昇や風量低下、サージングの発生などを低減することができる。また、図６のように突起１１左右のなだらかな湾曲部分がファン５に対して、凹形状である場合、突起から離れるほど小さくなる突起１１の影響を適切に抑制することができる。
【００２４】
一方、図７のように突起１１左右のなだらかな湾曲部分がファン５に対して凸形状の場合、先端部１１ａでのエッジ部分を無くすことができるため、成型が容易であり、金型メンテナンスも行い易い。
【００２５】
【発明の効果】
以上の説明からも明らかなように、クロスフローファンとの隙間距離がクロスフローファンの軸方向における中央より両端に向かって連続的あるいは段階的に小さくなるように形成されており、スタビライザとクロスフローファンとの距離の変化量と同じだけの厚さがスタビライザの先端から舌部にかけて一律に増加しており、スタビライザの高さも同様に変化している。この形状によって、クロスフローファンの部位により再循環渦の大きさを変化させて圧力差を相違させることにより耳障りな翼ピッチ音の発生を抑制すると同時に、スタビライザの先端から舌部にかけての一律な厚みの増加と高さの増加が再循環渦の安定化を図り、その際生じる空力特性の悪化を低減することができる。また、フィルターに埃が堆積するなど、通風抵抗が増加した場合に側壁周辺で生じるサージングを抑制することができる。
【００２６】
第２の実施例は、スタビライザとクロスフローファンとの隙間距離がクロスフローファン中央部の任意の区間においては一定に保ち、前記区間より両端に向かって連続的に小さくなる形状になっている。また、このスタビライザも図３同様にの先端部から舌部にかけても隙間距離の変化量と同じ厚みが増加しており、スタビライザの高さも同様に変化している。
【００２７】
本来、クロスフローファンを有効に送風性能を発揮するためには、室内ユニットの断面形状における熱交換器、クロスフローファン、スタビライザ等の構成が一様、つまり２次元性を確保するほうがよい。一方、クロスフローファンの端部においては本体の側壁の影響により、再循環渦がクロスフローファンの円の中心側に移動することによる風量性能の劣化、また、フィルターにごみが堆積したときなどには、端部からサージングが発生することがある。それを解決するためにはクロスフローファンとスタビライザの隙間距離を最適化させる必要がある。上記実施例２の形状の場合、側壁の悪影響を大きい部分のみに隙間距離の最適化を行い、クロスフローファンの中央部分の隙間距離は最適な一定寸法に設定することにより、クロスフローファンの２次元性を最大限確保しつつ、本体の側壁の抵抗による悪影響を取り除くことができる。
【００２８】
第３の実施例はスタビライザにおいて、クロスフローファンの端板と対向する位置に、端板の幅と同程度の幅で平行な突起を配し、その左右はなだらかに湾曲している。この湾曲はファンに対して、凸若しくは凹な形状をなしている。これらの突起はスタビライザの先端部から舌部にかけて同程度の高さで一律に続いている。
【００２９】
したがって、この形状によりクロスフローファンの端板の後流の流れの乱れによる騒音上昇や風量低下、サージングの発生などを低減することができる。突起左右のなだらかな湾曲部分がファンに対して、凹形状である場合、突起から離れるほど小さくなる突起の影響を的確に減らすことができる。一方、突起左右のなだらかな湾曲部分がファンに対して凸形状の場合、先端部でのエッジ部分を無くすことができ、容易に成型でき、金型のメンテナンスが行い易い。
【図面の簡単な説明】
【図１】本発明の実施例１の空気調和機の室内ユニットの外観斜視図
【図２】同空気調和機の室内ユニットの断面略図
【図３】同空気調和機の室内ユニットのスタビライザ付近の拡大断面略図
【図４】本発明の実施例２の空気調和機の室内ユニットに配設されたクロスフロー  ファンの要部平面図
【図５】本発明の実施例３の空気調和機の室内ユニットの突起の拡大図
【図６】本発明の実施例３の空気調和機の室内ユニットの突起の拡大図
【図７】本発明の実施例３の空気調和機の室内ユニットの要部平面図
【図８】従来の空気調和機の室内ユニットに配設されたクロスフローファンの要部平面図
【符号の説明】
１  空気調和機本体
２  台枠
３  前面カバー
４  吸い込みグリル
５  ファン（クロスフローファン）
５ａ  端板
５ｂ  ブレード
６ａ、ｂ、ｃ  熱交換器
７  スタビライザ
７ａ  （スタビライザ）先端部
７ｂ  （スタビライザ）舌部
８  リアガイダー
１０  モータ
１１  突起
【図１】
2005037001.tif 000003
【図２】
2005037001.tif 000004
【図３】
2005037001.tif 000005
【図４】
2005037001.tif 000006
【図５】
2005037001.tif 000007
【図６】
2005037001.tif 000008
【図７】
2005037001.tif 000009
【図８】
2005037001.tif 000010